(57)【要約】複数の容器を保持するためのパッケージ。該パッケージは、パッケージの内部周辺に少なくとも部分的に延在するパネルを有する。該パネルは、トップパネル、ボトムパネル、および中間パネルを備える。ボトムパネルにおける少なくとも１つのボトム開口は、複数の容器のうちの１つの容器を少なくとも部分的に受け止めるためのものである。少なくとも１つの中間開口は、容器を少なくとも部分的に受け止めるための中間パネルにある。少なくとも１つの保持フラップが、少なくとも１つの中間開口に隣接して中間パネルに折り曲げ可能に取り付けられる。少なくとも１つの保持フラップは、パッケージから容器を除去するのを抑止する保持力を容器に提供するためのものである。
2009525234.tif 000002
【特許請求の範囲】
【請求項１】
複数の容器を保持するためのパッケージであって、該パッケージは、前記パッケージ内部周辺に少なくとも部分的に延在するパネルを備え、
該パネルは、トップパネルと、ボトムパネルと、中間パネルとを備え、
該パッケージは、前記ボトムパネルにおいて前記複数の容器の一つの容器を少なくとも部分的に受け止めるための少なくとも１つのボトム開口と、前記中間パネルにおいて前記容器を少なくとも部分的に受け止めるための少なくとも１つの中間開口と、前記少なくとも１つの中間開口に隣接して前記中間パネルに折り曲げ可能に取り付けられた少なくとも１つの保持フラップと、を備え、
前記保持フラップは、前記パッケージから前記容器の除去を抑制する保持力を前記容器に提供するためのものである、パッケージ。
【請求項２】
前記少なくとも１つの保持フラップは、前記中間開口の対向する側において少なくとも２つの保持フラップを備える、請求項１に記載のパッケージ。
【請求項３】
前記少なくとも２つの保持フラップは、４つの保持フラップを備える、請求項２に記載のパッケージ。
【請求項４】
前記中間開口は、概して、正方形の開口部であり、かつ前記４つの保持フラップによって、少なくとも部分的に画定される、請求項３に記載のパッケージ。
【請求項５】
前記保持フラップは、前記中間パネルにおける直交する折り線によって、少なくとも部分的に画定される、請求項１に記載のパッケージ。
【請求項６】
前記保持フラップは、斜めの切れ目によって、少なくとも部分的に画定される、請求項５に記載のパッケージ。
【請求項７】
前記ボトム開口および前記中間開口は、前記容器を受け取るために離間し、軸方向に整列している、請求項１に記載のパッケージ。
【請求項８】
前記パネルは、第１のサイドパネルと、第２のサイドパネルと、前記中間パネルに折り曲げ可能に取り付けられた少なくとも１つの接着フラップと、をさらに備え、前記接着フラップは、前記第１および第２のサイドパネルのうちの一方に接着して取り付けられて前記ボトムパネルから離間した位置で前記中間パネルを支持する、請求項１に記載のパッケージ。
【請求項９】
前記少なくとも１つの接着フラップは、前記第１および第２のサイドパネルにそれぞれ接着して取り付けられた第１および第２の接着フラップを備える、請求項８に記載のパッケージ。
【請求項１０】
前記ボトム開口は開口距離を有し、前記中間開口は初期開口距離を有し、前記初期開口距離は、前記ボトム開口の前記開口距離より短い、請求項１に記載のパッケージ。
【請求項１１】
前記初期開口距離は、前記ボトム開口の前記開口距離の約７５％未満である、請求項１０に記載のパッケージ。
【請求項１２】
前記中間開口は、前記ボトム開口の前記開口距離にほぼ等しい最大開口距離を有する、請求項１０に記載のパッケージ。
【請求項１３】
前記少なくとも１つのボトム開口は、複数のボトム開口を備え、前記少なくとも１つの中間開口は、複数の中間開口を備える、請求項１に記載のパッケージ。
【請求項１４】
複数の容器と組み合わせた請求項１３に記載のパッケージであって、前記複数の容器は、ボトルから成り、前記ボトルのそれぞれは、前記複数のボトム開口のうちの１つと前記複数の中間開口のうちの１つに少なくとも部分的に受け止められる上部を有する、パッケージ。
【請求項１５】
複数の容器を保持するパッケージを形成するためのブランクであって、該ブランクは、
トップパネルと、ボトムパネルと、中間パネルと、を備える、パネルと、
前記ボトムパネルにおける少なくとも１つのボトム開口と、
前記中間パネルにおける少なくとも１つの中間開口と、
前記中間パネルに折り曲げ可能に取り付けられた少なくとも１つの保持フラップと、を備え、
前記保持フラップは、前記中間開口に隣接し、かつ少なくとも部分的に前記中間開口を画定する、ブランク。
【請求項１６】
前記少なくとも１つの保持フラップは、前記カートンから形成された前記パッケージに受け取られる容器に保持力を提供する、請求項１５に記載のブランク。
【請求項１７】
前記少なくとも１つの保持フラップは、前記中間の開口の対向する側において少なくとも２つの保持フラップを備える、請求項１５に記載のブランク。
【請求項１８】
前記少なくとも２つの保持フラップは、４つの保持フラップを備える、請求項１７に記載のブランク。
【請求項１９】
前記中間開口は、概して、正方形の開口部であり、かつ前記４つの保持フラップによって、少なくとも部分的に画定される、請求項１８に記載のブランク。
【請求項２０】
前記保持フラップは、前記中間パネルにおける直交する折り線によって、少なくとも部分的に画定される、請求項１５に記載のブランク。
【請求項２１】
前記保持フラップは、少なくとも１つの斜めの切れ目によって、少なくとも部分的に画定される、請求項２０に記載のブランク。
【請求項２２】
前記ボトム開口および前記中間開口は、横方向に整列している、請求項１５に記載のブランク。
【請求項２３】
前記パネルは、第１のサイドパネルと、第２のサイドパネルと、前記中間パネルに折り曲げ可能に取り付けられた少なくとも１つの接着フラップと、をさらに備え、前記接着フラップは、前記ブランクから形成された前記パッケージの前記ボトムパネルから離間した位置で前記中間パネルを支えるために、前記第１および第２のサイドパネルのうちの一方に取り付けるためのものである、請求項１５に記載のブランク。
【請求項２４】
前記少なくとも１つの接着フラップは、前記ブランクから形成された前記パッケージの前記第１および第２のサイドパネルにそれぞれ接着して取り付けられるための第１および第２の接着フラップを備える、請求項２３に記載のブランク。
【請求項２５】
前記ボトム開口は開口距離を有し、前記中間開口は初期開口距離を有し、前記初期開口距離は、前記ボトム開口の前記開口距離より短い、請求項１５に記載のブランク。
【請求項２６】
前記初期開口距離は、前記ボトム開口の前記開口距離の約７５％未満である、請求項２５に記載のブランク。
【請求項２７】
前記中間開口は、前記ボトム開口の前記開口距離にほぼ等しい、最大開口距離を有する、請求項２５に記載のブランク。
【請求項２８】
前記少なくとも１つのボトム開口は、複数のボトム開口を備え、前記少なくとも１つの中間開口は、複数の中間開口を備える、請求項１５に記載のブランク。
【請求項２９】
複数の容器を収容するためのパッケージを形成する方法であって、該方法は、
トップパネルと、少なくとも１つのボトムパネル開口を有するボトムパネルと、少なくとも１つの中間パネル開口および前記少なくとも１つの中間開口に隣接して中間パネルに折り曲げ可能に取り付けられた少なくとも１つの保持フラップを有する中間パネルと、第１のサイドパネルと、第２のサイドパネルと、を有するブランクを提供するステップと、
前記中間パネルが前記ボトムパネルから離間し、かつ前記中間開口および前記ボトム開口が、容器を受け取るために整列するように、前記第１および第２のサイドパネルのうちの少なくとも一方に前記中間パネルを取り付けることによりスリーブを形成するステップと、
を備える方法。
【請求項３０】
前記ブランクは、前記中間パネルに折り曲げ可能に取り付けられた少なくとも１つの接着フラップを備え、前記中間パネルに取り付けるステップは、前記少なくとも１つの接着フラップを折り曲げて、前記第１および第２のサイドパネルのうちの少なくとも一方に前記接着フラップを取り付けるステップ、を備える、請求項２９に記載の方法。
【請求項３１】
少なくとも１つの容器を前記ボトム開口および前記中間開口に少なくとも部分的に挿入するステップと、前記容器の上部を前記パッケージに保持するステップと、をさらに備える、請求項２９に記載の方法。
【請求項３２】
前記容器の前記上部は、前記少なくとも１つの保持フラップに接触して、前記中間パネルに対して前記保持フラップを上向きに折り曲げる、請求項３１に記載の方法。
【請求項３３】
前記容器の前記上部は肩部を有し、前記容器を前記スリーブにさらに挿入することにより、前記少なくとも１つの保持フラップが前記肩部に係合して前記パッケージからの前記容器の引き出しを少なくとも部分的に抑制する、請求項３２に記載の方法。
【請求項３４】
複数の容器を保持するためのパッケージであって、
前記パッケージ内部周辺に少なくとも部分的に延在するパネルを備え、該パネルは、トップパネルと、ボトムパネルと、中間パネルとを備え、該パッケージは、前記複数の容器のうちの一つの容器を、前記ボトムパネルにおいて少なくとも部分的に受け止めるための少なくとも１つのボトム開口と、前記中間パネルにおいて前記容器を少なくとも部分的に受け止めるための少なくとも１つの中間開口と、前記中間パネルに折り曲げ可能に取り付けられる少なくとも１つの保持フラップとを備える、パッケージ。
【請求項３５】
複数の容器を保持するパッケージを形成するためのブランクであって、該ブランクは、
トップパネルと、ボトムパネルと、中間パネルと、を備える、パネルと、
前記ボトムパネルにおいて少なくとも１つのボトム開口と、
前記中間パネルにおいて少なくとも１つの中間開口と、
前記中間パネルに折り曲げ可能に取り付けられる少なくとも１つの保持フラップと、を備える、パッケージ。
【請求項３６】
複数の容器を収容するためのパッケージを形成する方法であって、該方法は、
トップパネルと、少なくとも１つのボトムパネル開口を有するボトムパネルと、少なくとも１つの中間パネル開口および中間パネルに折り曲げ可能に取り付けられる少なくとも１つの保持フラップを有する中間パネルと、第１のサイドパネルと、第２のサイドパネルと、を有するブランクを提供するステップと、
前記中間パネルが前記ボトムパネルから離間するように、前記第１および第２のサイドパネルのうちの少なくとも一方に前記中間パネルを取り付けることによりスリーブを形成するステップと、
を備える方法。
【発明の詳細な説明】
【関連出願の記述】
【０００１】
本願は、２００６年１月３１日付申請の米国仮特許出願第６０／７６３，６５４号に
対し、優先権を主張する。上記に述べた仮特許出願の全ての内容は、ここに参照される
ことで緩用される。
【技術分野】
【０００２】
本発明は、概して、容器を保持および表示するためのパッケージまたはカートンに関
する。より具体的には、本発明は、容器と係合して、パッケージにより保持される容器
の動きを少なくとも部分的に抑制する１つ以上の保持フラップを有するパッケージに
関する。
【背景技術】
【０００３】
容器の上部を係合するためのパッケージまたはカートンは公知である。容器は、典型
的に、パッケージのボトムパネルの開口を介して挿入され、容器の放射状突出部と係合
することによって固定される。このようなパッケージの１つが、Ｂａｋｘの米国特許第
６，２２３，８９１号に開示されている。しかしながら、既存のパッケージは、容器を
十分に支えず、直立させることが困難である、および／または占有基板面積が広すぎて
製造コストがより高くなってしまう。このように、容器を保持して表示するための改善
されたパッケージに対する必要性が存在する。
【発明の開示】
【０００４】
概して、本発明の一態様は、複数の容器を保持するためのパッケージに関する。パッ
ケージは、パッケージの内部周辺に少なくとも部分的に延在するパネルを備える。パネ
ルは、トップパネルと、ボトムパネルと、中間パネルと、を備える。ボトムパネルの少
なくとも１つのボトム開口は、複数の容器のうちの１つの容器を少なくとも部分的に受
け止めるためのものである。少なくとも１つの中間開口は、中間パネルにあり、容器を
少なくとも部分的に受け止めるためのものである。少なくとも１つの保持フラップは、
少なくとも１つの中間開口に隣接して中間パネルに折り曲げ可能に取り付けられる。保
持フラップは、パッケージから容器除去を抑制する保持力を容器に提供するためのもの
である。
【０００５】
別の態様では、本発明は、概して、複数の容器を保持するためのパッケージを形成す
るためのブランクに関する。ブランクは、トップパネルと、ボトムパネルと、中間パネ
ルと、を含むパネルを備える。少なくとも１つのボトム開口は、ボトムパネルにあり、
少なくとも１つの中間開口は、中間パネルにある。少なくとも１つの保持フラップは、
中間パネルに折り曲げ可能に取り付けられる。保持フラップは、中間開口に隣接し、中
間開口を少なくとも部分的に画定する。
【０００６】
別の態様では、本発明は、概して、複数の容器を収容するためのパッケージを形成す
る方法に関する。該方法は、トップパネルと、少なくとも１つのボトムパネル開口を有
するボトムパネルと、少なくとも１つの中間パネル開口および少なくとも１つの中間開
口に隣接して中間パネルに折り曲げ可能に取り付けられた少なくとも１つの保持フラ
ップを有する中間パネルと、第１のサイドパネルと、第２のサイドパネルと、を有する
ブランクを提供するステップを備える。該方法は、中間パネルがボトムパネルから離間
し、かつ中間開口およびボトム開口が、容器を受け取るためにほぼ整合するように、第
１および第２のサイドパネルのうちの少なくとも一方に中間パネルを取り付けること
によりスリーブを形成するステップをさらに備える。
【０００７】
別の態様では、本発明は、概して、複数の容器を保持するためパッケージに関する。
該パッケージは、パッケージの内部周辺に少なくとも部分的に延在するパネルを備える。
パネルは、トップパネルと、ボトムパネルと、中間パネルと、を備える。少なくとも１
つのボトム開口は、ボトムパネルにあり、複数の容器のうちの１つの容器を少なくとも
部分的に受け止めるためのものである。少なくとも１つの中間開口は、中間パネルにあ
り、容器を少なくとも部分的に受け止めるためのものである。少なくとも１つの保持フ
ラップは、中間パネルに折り曲げ可能に取り付けられる。
【０００８】
別の態様では、本発明は、概して、複数の容器を保持するためのパッケージを形成す
るためのブランクに関する。該ブランクは、トップパネル、ボトムパネル、および中間
パネル、を備えるパネルを備える。少なくとも１つのボトム開口は、ボトムパネルにあ
り、少なくとも１つの中間開口は、中間パネルにある。少なくとも１つの保持フラップ
は、中間パネルに折り曲げ可能に取り付けられる。
【０００９】
別の態様では、本発明は、概して、複数の容器を収容するためのパッケージを形成す
る方法に関する。該方法は、トップパネルと、少なくとも１つのボトムパネル開口を有
するボトムパネルと、少なくとも１つの中間パネル開口および中間パネルに折り曲げ可
能に取り付けられた少なくとも１つの保持フラップを有する中間パネルと、第１のサイ
ドパネルと、第２のサイドパネルと、を有するブランクを提供するステップを備える。
該方法は、中間パネルがボトムパネルから離間するように、第１および第２のサイドパ
ネルのうちの少なくとも一方に中間パネルを取り付けることによりスリーブを形成す
るステップをさらに備える。
【００１０】
当業者は、以下に列挙された図面を参照しながら、以下の実施形態の詳細説明を読む
ことによって、上記の利点およびその他の利点、および多様な追加の実施形態の利点を
理解するであろう。
【００１１】
一般的な慣例に従い、以下で説明する図面の多様な機能は、一定の縮尺比で描かれて
いるとは限らない。図面の多様な機能や要素の寸法は、本発明の実施形態をより明確に
示すために、拡大または縮小されている場合がある。図面中、対応する要素は、対応す
る参照番号によって示される。
【発明を実施するための最良の形態】
【００１２】
典型的実施形態の詳細説明
本発明は、概して、瓶、ボトル、缶などの容器を保持してディスプレイするための構
造物、スリーブ、カートンなどやパッケージに関する。該容器は、例えば、食品や飲料
製品を包装するために使用することができる。該容器は、特定の食品や飲料用品を包装
するための構成に適した素材から作成することができ、該素材には、ＰＥＴ、ＬＤＰＥ、
ＬＬＤＰＥ、ＨＤＰＥ、ＰＰ、ＰＳ、ＰＶＣ、ＥＶＯＨ、およびナイロンなどのプラス
チックなど、アルミニウムおよび／あるいはその他の金属、ガラス、あるいはこれらの
任意の組み合わせを含むが、これらに限定されない。
【００１３】
本発明によるパッケージは、多数の異なる形状の容器を包装することができる。本発
明の範囲を限定する目的のためではなく、説明の目的のために、以下の詳細説明は、パ
ッケージの実施形態内に少なくとも部分的に配置される食品容器（例えば、プラスチッ
ク容器）を説明する。本明細書において、「下部」「ボトム」「上部」および「トップ」
という用語は、完全に組み立てられたパッケージに関して決定される配置を示す。
【００１４】
本実施形態は、容器に取り付け、容器への適応のためにカートンまたはパッケージに
対応する。パッケージまたはキャリア１５０は、図５および６の組み立てられた状態で
図示され、ここでは、容器Ｃに取り付けられた状態で示されている。図示された実施形
態では、容器Ｃは、概して、フランジ部分Ｆおよび頸上部Ｎを備える上部を有する個人
用飲料容器として示されているが、本発明から逸脱することなく、その他の容器をパッ
ケージ１５０内に保持することができる。
【００１５】
図１は、パッケージまたはキャリア１５０を形成するために使用されるブランク８の
外部サイド３の平面図である。ブランク８は、第１の横断折り線２１で第１の接着パネ
ル２０に折り曲げ可能に接続された中間パネル１０と、第２の横断折り線３１で第１の
接着パネル２０に折り曲げ可能に接続されたトップパネル３０と、第３の横断折り線４
１でトップパネル３０に折り曲げ可能に接続された第１のサイドパネル４０と、第４の
横断折り線５１で第１のサイドパネル４０に折り曲げ可能に接続されたボトムパネル
５０と、第５の横断折り線６１でボトムパネル５０に折り曲げ可能に接続された第２の
サイドパネル６０と、を備える。第２の接続パネル７０は、第６の横断折り線７１で中
間パネル１０に折り曲げ可能に接続することができる。
【００１６】
折り線に沿って折り曲げを促進するために、各横断折り線２１、３１、４１、５１、
６１、７１に１つ以上の切り目を含んでもよい。図１に示されたブランクの実施形態で
は、横断折り線２１、５１、６１、７１は、その中の切り目が折り線でブランク８の折
り曲げを促進する切り目／折り線である。任意の数の切り目を任意の折り線の中に形成
することができ、切り目の数と長さは、例えば、ブランク８を形成するために使用され
る素材の規格および／または剛性に応じて、選択することができる。折り線２１、５１、
６１、７１は、本発明を逸脱することなく、その他の方法（例えば、切り目のない折り
線）によって形成することができる。
【００１７】
中間パネル１０は、複数の中間開口１００を含む。各中間開口１００は、パッケージ
１５０内に少なくとも部分的に包装される容器Ｃ（図５）の上部フランジ部分Ｆを受け
止める形状と大きさにされている。中間パネル１０は、保持フラップ１１２の４つのグ
ループを含む、各グループは、直交の（例えば、縦軸または横軸のいずれ）折り線１０
６で中間パネルに折り曲げ可能に接続された４つの保持フラップを含む。図示された実
施形態では、横軸方向Ｌ２に延在する横方向の折り線１０６は、横方向折り線２１、７
１の一部を備える。保持フラップ１１２は、概して、保持フラップの隣接終端間のＴ形
のスリットまたは切り目１０４によりさらに画定される。切り目１０４は、２つの隣接
した保持フラップ１１２のうちのエッジから斜めに延在する第１のスリットまたは部
分１０５および第１の斜め部分に垂直に、折り線１０６の隣接終端間で概して延在する
第２のスリットまたは部分１０７を備える。図示された実施形態では、伸張の切り目１
０４および折り線１０６は、中間パネル１０において枢動可能なフラップ１１２を画定
するが、フラップは、その他の形状および配置にすることができる。
【００１８】
一実施形態では、中間開口１００は、概して、正方形であり、各辺は、保持フラップ
１１２のそれぞれのエッジ（縁部）を画定する。開口１００は、本発明から逸脱せず、
その他の形状および配置にすることができることが理解される。図１に示されているよ
うに、各中間開口１００は、保持フラップ１１２のエッジ間の間隔として概略的に定義
される初期開口距離Ｄ１と、対向する保持フラップのそれぞれの折り線１０６間の距離
にほぼ等しい最大開口距離Ｄ２と、を有する。
【００１９】
ボトムパネル５０は、複数のボトム開口１３０を含む。各ボトム開口１３０は、パッ
ケージ１５０内に包装される容器Ｃの頸上部Ｎを受け止める形状と大きさであっても
よい。各ボトム開口１３０は、概して、中間パネルの対応する中間開口１００を有する
ブランク８において横方向に整列されている。組み立てられたパッケージ１５０のため
に図２〜４に示されているように、まず、パッケージに挿入される容器Ｃのトップフラ
ンジ部分Ｆが、ボトム開口、続いて、ボトム開口上に離間する対応する中間開口を通過
するように、各ボトム開口１３０は、対応する中間開口１００に位置決めされている。
図示された実施形態では、対応するボトム開口１３０および中間開口１００は、各開口
の中央を通過する垂直軸Ａｌに沿って軸方向に整列する。
【００２０】
図示された実施形態では、ボトムパネル５０は、各ボトム開口１３０の横方向に対向
する側部を画定する第１および第２の切り目１３４、１３６を有する。各第１および第
２の切り目１３４、１３６は、弓形部分１３８および各横方向の折り線５１、６１に延
在する２つの縦方向に延在する終端部分１４０、１４２を含む。ボトムパネル５０は、
各ボトム開口の縦方向において対向する側部を画定する第３および第４の切り目１４
６、１４８を有する。第３の切り目１４６は、横軸方向Ｌ２に延在し、横方向の折り線
５１に整列している。第４の切り目１４８は、横軸方向Ｌ２に延在し、横方向折り線６
１に整列している。ボトム開口１３０は、本発明から逸脱せず、その他の形状および配
置にすることができる。第１および第２の切り目１３４、１３６は、パッケージ１５０
に対して容器を定位置に保持することを支援すべく、容器Ｃの頸部分Ｎに接触または近
接するような形状並びに寸法とされている。例えば、図１では、第１および第２の切り
目１３４、１３６の弓形部分１３８は、円形の水平断面形状を有する容器Ｃを収容する
ように設計されている。しかしながら、その他の大きさおよび形状を有する開口部によ
って、その他の円周プロファイルを有する容器を収容するようにしてもよい。
【００２１】
図１に示されるように、ボトム開口１３０は、切れ目から成る弓形部分１３８間の最
大距離に等しい開口距離Ｄ３を有する。図示される実施形態では、開口距離Ｄ３は、ま
た、対向する横方向の切り目１４６、１４８の間の縦方向の距離に等しいが、ボトム開
口１３０は、本発明から逸脱せず、その他の形状および配置にしてもよいことを理解さ
れたい。
【００２２】
一実施形態では、開口距離Ｄ３は、中間開口の初期開口距離Ｄ１よりも大きく、中間
開口の最大開口距離Ｄ２にほぼ等しい。典型的な一実施形態では、初期開口距離Ｄｌは、
開口距離Ｄ３の約８０％〜約５０％、好ましくは開口距離Ｄ３の約７５％未満の範囲で
あってもよい。図示される実施形態では、距離Ｄ３は、約２インチ（５１ｍｍ）であり、
距離Ｄｌは、約１〜１／４インチ（３２ｍｍ）であり、距離Ｄ２は、約２インチである。
組み立てられたパッケージ１５０では、中間パネル１０は、約１／２インチ（１３ｍｍ）
の距離Ｄ４（図３）を、ボトムパネル５０から離間させてもよく、パッケージ１５０は、
ボトムパネル５０とトップパネル３０の間で全高Ｈ１約１〜１／２インチ（３８ｍｍ）
を有してもよい。本発明の多様な他の実施形態は、これらの寸法が例示のみを意図する
ものであり、限定を意図するものではなく、本明細書に示される寸法情報とは異なるも
のであってもよい。
【００２３】
フォルダーグルア（折り曲げ接着装置）（図示せず）などの組立機械を通して単一パ
スで折り曲げ及び接着作業により、パッケージ１５０を組み立ててもよい。図１を参照
すると、組み立ての典型的な一方法では、パッケージ１５０は、接続パネル２０の外側
（例えば、図１において面する側）または接着パネル７０の外側（例えば、図１におい
て面する側）または印刷側に糊または他の接着剤を適用することにより、管状スリーブ
に組み立てることができる。その後、ブランク８は、第２の接着パネル７０を第１のサ
イドパネル４０の内側に（例えば、図１において向こう側）および第１の接着パネル２
０を第２のサイドパネル６０の内側（例えば、図１において向こう側）に接続して取り
付けるために、折り線２１、３１、４１、６１、７１に折り曲げてもよい。図３での反
転位置（例えば、トップパネル３０が下を向いている）に示されているように、中間パ
ネル１０は、概して、ボトムパネル５０から離間し、概して、ボトムパネル５０に対し
て平行である。図２および３に示されているように、組み立てた際に、パッケージ１５
０は、概して、開口端を有する管状形状を有する。組み立てられたパッケージ１５０で
は、トップパネル３０、中間パネル１０、およびボトムパネル５０は、ほぼ平行面に配
置され、第１および第２のサイドパネル４０、６０は、トップパネル３０からボトムパ
ネル５０に延在する。中間パネル１０の各中間開口１００は、ボトムパネル３０のボト
ムパネル開口１３０の１つに鉛直方向において整列している。必要であれば、パッケー
ジ１５０は、出荷のためにほぼ平らな形状に折り畳むことができる。パッケージ１５０
は、本発明を逸脱することなく、代替的方法により組み立ててもよい。
【００２４】
パッケージ１５０を組み立てると、鉛直方向にそれぞれ整列した開口１００、１３０
を通して容器のトップフランジ部分Ｆをボトムおよび中間パネル５０、１０にそれぞれ
押し込めることにより、容器Ｃをパッケージに装填することができる。一適用例では、
容器Ｃを一列に整列でき、垂直に整列した開口１００、１３０のそれぞれの組に複数の
容器を同時に押し込めるように、パッケージ１５０を容器の列に押し込む。図５に示さ
れるように、容器Ｃのトップフランジ部分Ｆは、パッケージ１５０の内部に配置され、
容器の頸上部Ｎは、パッケージの内部に部分的に配置される。容器Ｃのトップフランジ
部分Ｆが、中間パネル１０の中間開口１００のうちの１つを通して押し込められる場合、
容器がフラップ１１２と接触してフラップを折り線１０６に沿って上方に折り曲げる。
容器をさらに挿入した場合、フラップ１１２は上方にさらに折り曲げられ、中間開口１
００の寸法が初期開口距離Ｄ１から拡大する。その後、フラップ１１２は、容器Ｃのフ
ランジ部分Ｆの下側部分または肩部Ｓと係合してパッケージから容器が抜け落ちてし
まうことを防止する保持力を印加する。フラップ１１２とフランジ部分Ｆの肩部Ｓとの
係合による保持力は、パッケージ１５０から容器Ｃを引き抜くために克服しなければな
らない上向きの付勢力を生じさせる。
【００２５】
例えば、ボトムパネル開口１３０の円周の形状は、容器Ｃがボトムパネル開口を通し
て延在する点で、容器Ｃの断面に全体的にまたは部分的に相補的であってもよい。例え
ば、例示的実施例においては、ボトムパネル開口１３０は、容器Ｃの断面部分にほぼ相
応するように選択された湾曲状または弓形部分１３８を含む。容器Ｃにかなり緊密に係
合するようにボトムパネル開口１３０を選択してもよい。また、中間パネル１０のフラ
ップ１１２は、フランジ部分Ｆの肩部Ｓの下側にかなり緊密に係合するような形状や構
成にしてもよい。それによって、パッケージ１５０の底部からの抜け落ちから容器Ｃを
しっかりと保持することができる。さらに、ボトムパネル開口１３０を形成するボトム
パネル５０の切り目１３４、１３６と容器Ｃとの相互作用は、パッケージ１５０内での
枢動運動に抗するように容器を固定することができる。
【００２６】
上記で説明した典型的なパッケージの実施形態は、単列で配置された４つの容器Ｃを
収容しているが、本発明はこれらの数に限定されない。一例として、ブランク８の大き
さを増大させること（例えば、図１の横方向Ｌ２に）、および、そこに容器を受け取る
開口を追加的に形成することによって、追加の容器を収容することができる。別の代替
的実施形態では、中間パネルおよびボトムパネル１０、５０の大きさを増大させること
（例えば、図１の縦方向Ｌ１に）、および、そこに容器を受け取る開口の追加列を追加
することによって、容器の追加列を収容することができる。
【００２７】
図示された実施形態では、パッケージ１５０は、ほぼ丸い上部の縁またはキャップ、
またはフランジ部分Ｆを有する容器Ｃを収納し、ほぼ円形の水平断面形状で画定される
外部輪郭を有するように示されている。しかしながら、本発明の原理に従うパッケージ
により、その他の種類、大きさ、形状の容器を収容することができる。
【００２８】
さらに、中間開口１００において示されたような、拡張及び保持機能をボトムパネル
開口１３０に設けることができる。例えば、カートン内に収納される容器が、その容器
の下部または中間部分においてフランジまたは肩部を有する場合には、ボトムパネル開
口１３０の周囲においてフラップを形成してもよい。容器が複数のフランジを有する場
合には、ボトムパネルおよび中間パネルにおいて保持フラップを設けるようにしてもよ
い。
【００２９】
一般的に、該ブランクは、通常の紙よりも重く、より強固であるように、例えば、少
なくとも厚みが約１４の板紙から作成してもよい。また、ブランクは、カートンが少な
くとも基本的に上述した機能が可能となるような適した特性を有する、ダンボール、ま
たは、その他任意の素材など、その他の素材から作成することができる。
【００３０】
該ブランクは、例えば、粘土性（クレー）コーティングでコーティングできる。その
後、粘土コーティング上に、製品、広告、およびその他の情報または画像を印刷しても
よい。その後、ブランクは、ブランク上に印刷された情報を保護するために、ニスでコ
ーティングしてもよい。また、ブランクは、例えば、防湿層などで、ブランクの片面ま
たは両面をコーティングしてもよい。さらに、ブランクは、選択したパネルまたはパネ
ル部分に１つ以上のシート状素材で積層またはコーティングすることもできる。
【００３１】
上記の実施形態は、糊によって接着された１つ以上のパネルを有するものとして説明
することができる。「糊」という用語は、板紙のカートンパネルを定位置に固定するた
めに一般的に使用されるすべての態様の接着材を含むことを意図する。
【００３２】
「線」という用語は、本明細書では、単なる直線だけではなく、湾曲、曲線または角度
的に変位している線など、その他の種類の線も含む。
【００３３】
典型的な実施形態に応じて、折り線は、必ずしも直線である必要はないが、それに沿
って折り畳むことを促進する弱化形態の直線とすることができる。より具体的には、但
し本発明の範囲を狭める意図ではないが、折り線は、所望する弱化線に沿って、素材に
破砕部あるいは凹部を作成する、鈍いスコアリングナイフなどで形成された線などのス
コアライン、所望する弱化線に沿って、素材中に部分的に延在する切り目、および／ま
たは所望する弱化線に沿って、素材に部分的におよび／または完全に延在する一連の切
り目、およびこれらの機能の多様な組み合わせ、を含む。折り線を形成するために切り
目が使用されている場合、通常、切り目は、道理をわきまえたユーザが、誤まって、折
り線を切り取り線と見なすほど過度なものとはしない。
【００３４】
本発明の前述の説明は、本発明の多様な実施形態を例示して説明している。本発明の
範囲を逸脱することなく、多様な変更を上記の構成に行うことが可能であるため、上記
の説明に含まれた、あるいは添付の図面に図示されたすべての事項は、例示目的であっ
て、限定を意図するものではないと解釈されるべきである。さらに、請求項の範囲内で
ある、上記に説明した実施形態の多様な変形、組み合わせ、代替などに本発明の範囲は
及ぶ。これに加えて、本開示は、本発明の選択された実施形態のみを図示し、説明する
が、本発明は、その他の多様な組み合わせ、変更および状況において使用することが可
能であり、上記の教示に相応し、および／または関連分野の技術または知識内において、
本明細書に示されるように、発明概念の範囲内の変更または変形を行うことが可能であ
る。さらに、それぞれの実施形態の一定の機能および特徴は、本発明の範囲を逸脱する
ことなく、その他の例示、および例示されていない本発明の実施形態と選択的に交換お
よび適用してもよい。
【図面の簡単な説明】
【００３５】
【図１】本発明の一実施形態に従い、パッケージを形成するために使用されるブランクの平面図である。
【図２】パッケージとして組み立てられる図１のブランクの底面透視図である。
【図３】図２に示されるようにパッケージの端面図である。
【図４】図２に示されるようにパッケージの部分図である。
【図５】その中に保持される容器を含むパッケージの端面図である。
【図６】その中に保持される容器を含むパッケージの側面図である。
【図１】
2009525234.tif 000003
【図２】
2009525234.tif 000004
【図３】
2009525234.tif 000005
【図４】
2009525234.tif 000006
【図５】
2009525234.tif 000007
【図６】
2009525234.tif 000008
【国際調査報告】
2009525234.tif 000009
2009525234.tif 000010